【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
多数の平行で等間隔な折曲部において交互に逆方向に折曲することによりアコーディオン式に伸縮自在としたスクリーンを横引きにより開閉自在とし、該スクリーンの両端に可動の縦框部材を取り付け、該縦框部材を建物開口部の横枠部材に沿ってスライド移動可能とした複数のスクリーンユニットを備え、
上記スクリーンユニットは、上記縦框部材の上端及び下端からそれらの内部に屈曲して出入りし、張設状態にある上記スクリーンの上端及び下端に沿って導出されて、該スクリーンの上端及び下端をガイドするスクリーンガイドを有すると共に、上記スクリーンの開閉操作時において可動の縦框部材を平行移動させるための平行移動機構を備え、
複数の該スクリーンユニットにおける隣接する縦框部材を相互に着脱可能に連結することにより、それらのスクリーンユニットを建物開口部に並設配置可能とし、
建物開口部における上部の横枠部材の支持溝に各スクリーンユニットの一対の縦框部材の上端を嵌挿保持させ、該支持溝の口縁部に、各縦框部材の上端に設けた凸部を係合させてスクリーンユニットの上端の脱出を抑止するレールを設け、該レールに、上記凸部を通過させ得るスリットを設けて、該スリットを横枠部材に着脱自在としたキャップにより閉鎖した、
ことを特徴とする折畳式スクリーン装置。
【請求項２】
上記スクリーンユニットにおける一対のスクリーンガイドの各一端を、一方の縦框部材の上端及び他方の縦框部材の下端に固定し、それぞれ対向する縦框部材の上端及び下端からそれらの内部に屈曲して出入りするように配設した、
ことを特徴とする請求項１に記載の折畳式スクリーン装置。
【請求項３】
上記スクリーンの開閉操作時に縦框部材を平行移動させるための平行移動機構を、上記スクリーンの上半に水平に挿通するワイヤーの一端を、スクリーンガイドが上端から出入りする縦框部材に固定すると共に、そのワイヤーの他端を他方の縦框部材内において下部に導き、該下部で上方に転向させてその先端を該縦框部材の下端から出入りするスクリーンガイドの先端に固定し、一方、上記スクリーンの下半に水平に挿通するワイヤーの一端を、スクリーンガイドが下端から出入りする縦框部材に固定すると共に、そのワイヤーの他端を他方の縦框部材内において上部に導き、該上部で下方に転向させてその先端を該縦框部材の上端から出入りするスクリーンガイドの先端に固定することにより構成した、
ことを特徴とする請求項２に記載の折畳式スクリーン装置。
【請求項４】
上記スクリーンの両端部に固定した取付板をそれぞれ縦框部材に取付部材により着脱可能に係止させ、
上記スクリーンの上半及び下半に挿通したワイヤーの一端を、それぞれ縦框部材に係止させた上記取付板に固定すると共に、それらのワイヤーの他端を他方の縦框部材の取付板に挿通したうえで、該取付板に沿ってその下部及び上部に導き、該下部及び上部で反対方向に転向させて、それらの先端をその縦框部材に上端及び下端から出入りするスクリーンガイドの先端に着脱自在に固定し、
上記各ワイヤーの先端をスクリーンガイドの先端から離脱させることにより、該ワイヤーを挿通したスクリーンをその両端の取付板と共に両縦框部材から離脱可能にした、
ことを特徴とする請求項３に記載の折畳式スクリーン装置。
【請求項５】
上記凸部が、レール上を転動するローラである、
ことを特徴とする請求項１〜４に記載の折畳式スクリーン装置。
【請求項６】
上記スクリーンユニットにおける一対のスクリーンガイドの一端を、一方の縦框部材の上端及び下端に固定し、他方の縦框部材の上端及び下端からそれらの内部に屈曲して出入りするように配設した、
ことを特徴とする請求項１に記載の折畳式スクリーン装置。
【請求項７】
上記スクリーンの開閉操作時に縦框部材を平行移動させるための平行移動機構を、上記スクリーンガイドが出入りする縦框部材の内部において、上下部間にループ状としたワイヤーを旋回自在に架け渡し、それらの逆方向移動部分を各スクリーンガイドの端部にそれぞれ連結することにより構成した、
ことを特徴とする請求項６に記載の折畳式スクリーン装置。
【請求項８】
上記スクリーンユニットにおける一方の縦框部材側に一端を取り付けたワイヤーを上記スクリーン中に水平に挿通したうえで、他方の縦框部材に設けた転向手段を介して該縦框部材の上端に導き、該上端から該縦框部材中に垂下させて、該縦框部材中においてそのワイヤーの先端に重錘を吊下した、
ことを特徴とする請求項６または７に記載の折畳式スクリーン装置。
【請求項９】
建物開口部における横枠部材に少なくとも三つ以上のスクリーンユニットを支持させ、少なくとも上記スクリーンユニットの一部に、スクリーンの張設状態において上記重錘によるスクリーンの自動的な折り畳みを抑止する抑止手段を設けた、
ことを特徴とする請求項８に記載の折畳式スクリーン装置。
【請求項１０】
上記スクリーンの両端部に固定した取付板をそれぞれ縦框部材に取付部材により着脱可能に係止させ、
上記スクリーン中に挿通して先端に重錘を吊下する前記ワイヤーの一端を一方の縦框部材に係止させた上記取付板に固定し、
他方の縦框部材の上端から垂下させたワイヤーの先端に上記重錘を着脱自在に取り付けて、該縦框部材に、上記重錘をワイヤー先端に着脱するための操作用開口部を設けると共に、上記ワイヤーを挿通する挿通路を該ワイヤーが挿脱可能なものとした、
ことを特徴とする請求項８または９に記載の折畳式スクリーン装置。
【手続補正２】
【補正対象書類名】明細書
【補正対象項目名】０００７
【補正方法】変更
【補正の内容】
【０００７】
上記課題を解決するための本発明の折畳式スクリーン装置は、多数の平行で等間隔な折曲部において交互に逆方向に折曲することによりアコーディオン式に伸縮自在としたスクリーンを横引きにより開閉自在とし、該スクリーンの両端に可動の縦框部材を取り付け、該縦框部材を建物開口部の横枠部材に沿ってスライド移動可能とした複数のスクリーンユニットを備え、上記スクリーンユニットは、上記縦框部材の上端及び下端からそれらの内部に屈曲して出入りし、張設状態にある上記スクリーンの上端及び下端に沿って導出されて、該スクリーンの上端及び下端をガイドするスクリーンガイドを有すると共に、上記スクリーンの開閉操作時において可動の縦框部材を平行移動させるための平行移動機構を備え、複数の該スクリーンユニットにおける隣接する縦框部材を相互に着脱可能に連結することにより、それらのスクリーンユニットを建物開口部に並設配置可能とし、建物開口部における上部の横枠部材の支持溝に各スクリーンユニットの一対の縦框部材の上端を嵌挿保持させ、該支持溝の口縁部に、各縦框部材の上端に設けた凸部を係合させてスクリーンユニットの上端の脱出を抑止するレールを設け、該レールに、上記凸部を通過させ得るスリットを設けて、該スリットを横枠部材に着脱自在としたキャップにより閉鎖したことを特徴とするものである。上記凸部は、レール上を転動するローラによって構成することができる。
【手続補正３】
【補正対象書類名】明細書
【補正対象項目名】０００８
【補正方法】変更
【補正の内容】
【０００８】
本発明の折畳式スクリーン装置の好ましい実施形態においては、上記スクリーンユニットにおける一対のスクリーンガイドの各一端を、一方の縦框部材の上端及び他方の縦框部材の下端に固定し、それぞれ対向する縦框部材の上端及び下端からそれらの内部に屈曲して出入りするように配設され、また、他の好ましい実施形態においては、上記スクリーンユニットにおける一対のスクリーンガイドの一端を、一方の縦框部材の上端及び下端に固定し、他方の縦框部材の上端及び下端からそれらの内部に屈曲して出入りするように配設される。
【手続補正４】
【補正対象書類名】明細書
【補正対象項目名】０００９
【補正方法】変更
【補正の内容】
【０００９】
本発明の折畳式スクリーン装置における上記前者の実施形態においては、上記スクリーンの開閉操作時に縦框部材を平行移動させるための平行移動機構が、上記スクリーンの上半に水平に挿通するワイヤーの一端を、スクリーンガイドが上端から出入りする縦框部材に固定すると共に、そのワイヤーの他端を他方の縦框部材内において下部に導き、該下部で上方に転向させてその先端を該縦框部材の下端から出入りするスクリーンガイドの先端に固定し、一方、上記スクリーンの下半に水平に挿通するワイヤーの一端を、スクリーンガイドが下端から出入りする縦框部材に固定すると共に、そのワイヤーの他端を他方の縦框部材内において上部に導き、該上部で下方に転向させてその先端を該縦框部材の上端から出入りするスクリーンガイドの先端に固定することにより構成される。
【手続補正５】
【補正対象書類名】明細書
【補正対象項目名】００１０
【補正方法】変更
【補正の内容】
【００１０】
また、本発明の折畳式スクリーン装置の上記実施形態においては、上記スクリーンの両端部に固定した取付板をそれぞれ縦框部材に取付部材により着脱可能に係止させ、上記スクリーンの上半及び下半に挿通したワイヤーの一端を、それぞれ縦框部材に係止させた上記取付板に固定すると共に、それらのワイヤーの他端を他方の縦框部材の取付板に挿通したうえで、該取付板に沿ってその下部及び上部に導き、該下部及び上部で反対方向に転向させて、それらの先端をその縦框部材に上端及び下端から出入りするスクリーンガイドの先端に着脱自在に固定し、上記各ワイヤーの先端をスクリーンガイドの先端から離脱させることにより、該ワイヤーを挿通したスクリーンをその両端の取付板と共に両縦框部材から離脱可能に構成することができる。
【手続補正６】
【補正対象書類名】明細書
【補正対象項目名】００１１
【補正方法】変更
【補正の内容】
【００１１】
一方、本発明の折畳式スクリーン装置において、スクリーンユニットにおける一対のスクリーンガイドの一端を、一方の縦框部材の上端及び下端に固定し、他方の縦框部材の上端及び下端からそれらの内部に屈曲して出入りするように配設した前記実施形態においては、上記スクリーンの開閉操作時に縦框部材を平行移動させるための平行移動機構が、上記スクリーンガイドが出入りする縦框部材の内部において、上下部間にループ状としたワイヤーを旋回自在に架け渡し、それらの逆方向移動部分を各スクリーンガイドの端部にそれぞれ連結することにより構成される。
【手続補正７】
【補正対象書類名】明細書
【補正対象項目名】００１２
【補正方法】変更
【補正の内容】
【００１２】
また、本発明の折畳式スクリーン装置の上記実施形態においては、上記スクリーンユニットにおける一方の縦框部材側に一端を取り付けたワイヤーを上記スクリーン中に水平に挿通したうえで、他方の縦框部材に設けた転向手段を介して該縦框部材の上端に導き、該上端から該縦框部材中に垂下させて、該縦框部材中においてそのワイヤーの先端に重錘を吊下することにより、スクリーンの自動的な折畳み収納が可能になるように構成される。
この場合、建物開口部における横枠部材に少なくとも三つ以上のスクリーンユニットを支持させ、少なくとも上記スクリーンユニットの一部に、スクリーンの張設状態において上記重錘によるスクリーンの自動的な折り畳みを抑止する抑止手段を設けたものとすることができ、これにより、スクリーン装置の幅寸法を大きくした場合にも、並設配置したスクリーンユニットの任意位置でスクリーンを開閉可能にすることができる。
【手続補正８】
【補正対象書類名】明細書
【補正対象項目名】００１３
【補正方法】変更
【補正の内容】
【００１３】
また、本発明の折畳式スクリーン装置の上記実施形態においては、上記スクリーンの両端部に固定した取付板をそれぞれ縦框部材に取付部材により着脱可能に係止させ、上記スクリーン中に挿通して先端に重錘を吊下する前記ワイヤーの一端を一方の縦框部材に係止させた上記取付板に固定し、他方の縦框部材の上端から垂下させたワイヤーの先端に上記重錘を着脱自在に取り付けて、該縦框部材に、上記重錘をワイヤー先端に着脱するための操作用開口部を設けると共に、上記ワイヤーを挿通する挿通路を該ワイヤーが挿脱可能なものとして構成される。
【手続補正９】
【補正対象書類名】明細書
【補正対象項目名】００１４
【補正方法】削除
【補正の内容】